(57)【要約】【課題】    タバコの２種類入り箱に仕切り袋を入れて、１つのたばこの箱の中で２種類のタバコの品質を保持する。【解決手段】    タバコの箱のパッケージに、ツートンで色分けしたデザインを施し、２種類入りのたばこの箱である旨を視覚的に理解できるようにする。不織布紙とポリフィルム製シートを仕切り袋として挿入し、２種類のタバコを箱の中で分割する。【効果】    複数種のタバコを１つの箱で愉しめるので、新たな新規需要者の興味を促進し、宣伝効果、販売拡張につながる。【選択図】    図４
0003116955.tif 000002
【実用新案登録請求の範囲】
【請求項１】
タバコの複数種類入り箱。１箱のタバコの箱に複数種類のタバコを入れたタバコの箱。
【請求項２】
タバコの複数種類入り箱に使用する仕切り袋。複数種類のタバコの品質を保持するために使用する仕切り袋。
【考案の詳細な説明】
【考案の詳細な説明】
【技術分野】
【０００１】  本考案は、タバコの箱の中に複数種のタバコを詰め合わせる機能生じさせるべく、互いのタバコの香りの品質を独立、保持するためセパレート用の仕切り袋を具備した、タバコの複数種類入りの箱に属するものである。
【背景技術】
【０００２】  周知のとおりタバコの箱は１種類のタバコを詰めたものであり、１つの箱に複数種のタバコを詰めることに関しては諸処の事情から実用化できないでいた。最も問題となる点は、本来タバコは喫煙者それぞれの嗜好から自己に適した香りを有する銘柄を選択する、という性質を持つものである。かかるにタバコの葉の香りは、個々のタバコの銘柄の最たる特徴性に係わる。複数種のタバコを１つの箱に詰め合わせた場合、互いの葉の香りが箱の中で他の葉の香りに影響を及ぼし、結局互いの葉の香りを損なってしまう。たとえばメンソール系のタバコを一般種のタバコと一緒に、同一の箱に詰め合わせたりすると、メンソールの強香が一般種のタバコに移ってしまい、著しく葉の香りの特徴に影響してしまう。タバコを生産する企業が、宣伝用に３〜５本入りの試供品用のタバコの箱を提供することはあっても、宣伝用のタバコを他のタバコの箱に詰め合わせできないのは上述したような理由による。以上のことから、複数種のタバコを１つの箱に詰め合わせることが、喫煙者のタバコの香りによる気分転換をはかる等、有益な可能性は認められつつも、実用化するには至らなかった。
【考案が解決しようとする課題】
【０００３】  複数種のタバコを１つの箱に入れるのだから、その特徴を外観のパッケージ上で明確に表現しなければならない。現況のタバコのパッケージの主流は縦長直方体の紙巻き２０本入りである。ポリプロフィレン及びコートボール紙で作られたいわゆるボックスタイプとポリプロフィレン及び包装紙作られたいわゆるソフトタイプ双方で、複数種のタバコが入っていることを明示するべくデザインを施す必要が生じる。なおソフトタイプのパッケージは、厳密にいえばタバコの包装資材とするのが妥当と思われるが、当考案では同形体であるとの観点から、便宜上タバコの箱と呼ぶことにする。
【０００４】  カナダやイギリス等の国々で主流たるタバコの箱は、横長直方体の形体を採っており、もともと１０本づつアルミ紙で包装され、箱の中央に仕切りが施されている場合もある。この形体を採ればある程度、タバコの分離は可能と思われるけれども、わが国やアメリカ等の国々ではタバコの箱の概念としては、反主流である。また箱の中でタバコを分離するさい、２０本入りの場合は１０本づつと本数も限定されてしまう。複数種のタバコ入りパッケージの産業上利用価値を得るためには、分離方法により多くの柔軟性を追究しなければならない。
【０００５】  複数種のタバコの香りが箱の中で混在してしまったり、一方のタバコの葉の香りが他方のタバコの葉の香りに影響してしまっては、タバコの持つ本来の風味を貶めることとなってしまう。特にメンソール系等のタバコの香りは、同一の箱中の他のタバコに多大な影響を及ぼすので、有効なセパレート状態を形成しうる仕切り材の存在が必要不可欠となる。
【０００６】  仕切り材がタバコの葉自体の香りを強力に吸収してしまっては、タバコ本来の存在価値を失ってしまうことになる。複数種のタバコの葉の香りの特徴を活かしつつ、複数種のタバコの葉の風味を損なうことの無いように仕切り材を構成しなければならない。
【課題を解決するための手段】
【０００７】  タバコの箱のパッケージ上にツートン彩色１を配すなどし、複数種のタバコが入っている内容を強調した色分けを施す。２０本入りのタバコの箱の場合、例えば１７本と３本に仕切るとすれば、１７本の部分が本商品たる主流部２となり、３本の部分が従属部３となる。パッケージ・デザインは主流部が当然中心となるけれども、従属部に当る部分には別途デザインする等し、複数種のタバコが入っていることを明瞭に表現する。また、キャッチ・コピーなど文章的表現による記載４を施すことも、有効な手段である。
【０００８】  タバコの箱の中に２種類のタバコを分離するための、セパレート用の仕切り袋（図２）を入する。セパレート用仕切り袋は、カルシウム系素材等のポリフィルム製のシート５にを素材としている。よって、塵処理上も不可燃物にならない。上部のポリフィルム分６を折り込み、従属部３のタバコを密閉する。タバコの種類によっては竹酢・木酢系、炭素系、又は山葵成分エキス等により抽出した活性酵素を微量塗布したポリフィルム分を使用するのも、有効な手段である。
【０００９】  ２０本入りのタバコの箱の内部に、主流部２のタバコと仕切り袋４により包装した従属部３のタバコを挿入する。セパレート用仕切り袋は、カルシウム系素材等のポリフィルム製のシート５によって作成されているので、その材料の性質上仕切り袋の伸縮性及び柔軟性を高め、主要部２と従属部３のタバコの箱内での安定化を図ることができる。主要部２と従属部３のタバコの本数は任意に設定できるが、従属部３については、あくまで喫煙者の気分転換、及び生産者側の試供的要素が強いので、２０本入りの場合３本程度が適当と思われる。
【考案を実施するための最良の形態】
【００１０】  発明の実施の形態を実施例に基づき図面を参照して説明する。
２０本入りのタバコの箱のパッケージに、ツートンで色分けしたような色分け１を施し、複数種入りのタバコの箱である旨を視覚的に理解できるようにする。また、パッケージ上で文言４によって、複数種のタバコが入っていることを明記しておくことも当然必要とされる【００１１】  セパレート用に使用する仕切り袋は、炭酸カルシウム系素材等のポリフィルム製シート５で作成され、炭酸カルシウム系素材等のポリフィルム製シート５の上部には、折り込み用の部分６を配している。仕切り袋（図２）は、タバコの複数種の葉の香りを遮断し、風味を保護し、且つ複数種のタバコを箱内で安定させるべく配せねばならない。【００１２】  （図２）のセパレート袋を挿入することにより、複数種のタバコを分断する。（図４）は、１７本の主要種タバコと、３本の付属種タバコに分断した例であるが、本数の振り分けは生産者が、任意に設定できる。
【考案の効果】
【００１３】  本考案は、以上説明したように構成されているので、以下に記載されるような効果を奏する。
【００１４】  新種のタバコを付属部に配すことにより、新種たばこの流布を促進し、宣伝効果、産業上発展を生じる。
【００１５】  複数種のタバコを１つの箱で愉しめるので、新たな新規需要者の興味を促進し新規需要への宣伝効果、販売拡張につながる。
【００１６】  喫煙者の気分転換等の観点から、例えばメンソール系や薬用系のたばこ、又はライト系（ニコチンの少ないタイプ等）を数本配することにより、喫煙者の興味を掻きたて販売促進効果につながる。
【００１６】  昨今の健康推進志向から、タバコについての批判が社会的に増大する傾向にある。確かにタバコに関する有害性については、肯定される要素が多いことも事実であるが、欧米では一部で嫌煙運動の余りのエスカレートにより、むしろマリファナ許容論が持ち上がるような状況になっている。タバコは５００年以上に亘る人類の長い歴史上、合法に容認されてきた嗜好品であり、いうまでもなく不法ドラックであるマリファナの弊害と比較した場合、両者の存在性の是非は明らかである。当考案はかかる将来的な状況も加味し、タバコ産業の維持並びに、タバコと人類との共存をはかるための新しい側面となりうる。
【図面の簡単な説明】
【図１】  ２０本入タバコの箱の、パッケージ外装図である。
【図２】  仕切り袋の平面図である。
【図３】  仕切り袋の断面図である。
【図４】  仕切り袋を２０本入のタバコの箱に、挿入した図である。
【符号の説明】
１  タバコの箱のパッケージの色分け部
２  主流部のタバコ
３  従属部のタバコ
４  複数種のタバコを意味する任意のメッセージ
５  付属部タバコの仕切り袋ポリフィルム部シート
６  付属部タバコの仕切り袋ポリフィルムの折り込み部
【図１】
0003116955.tif 000003
【図２】
0003116955.tif 000004
【図３】
0003116955.tif 000005
【図４】
0003116955.tif 000006
【手続補正書】
【提出日】平成17年1月21日(2005.1.21)
【手続補正１】
【補正対象書類名】実用新案登録請求の範囲
【補正対象項目名】全文
【補正方法】変更
【補正の内容】
【実用新案登録請求の範囲】
【請求項１】
１箱のタバコの箱に、複数種類のタバコを入れたタバコの箱。
【請求項２】
複数種類のタバコの品質を保持するため、使用する仕切り袋。
【手続補正２】
【補正対象書類名】明細書
【補正対象項目名】０００２
【補正方法】変更
【補正の内容】
【０００２】
【従来の技術】
周知のとおりタバコの箱は１種類のタバコを詰めたものであり、１つの箱に複数種のタバコを詰めることに関しては諸処の事情から実用化できないでいた。最も問題となる点は、本来タバコは喫煙者それぞれの嗜好から自己に適した香りを有する銘柄を選択する、という性質を持つことである。かかるにタバコの葉の香りは、個々のタバコの銘柄の最たる特徴性に係わる。複数種のタバコを１つの箱に詰め合わせた場合、互いの葉の香りが箱の中で他の葉の香りに影響を及ぼし、結局互いの葉の香りを損なってしまう。たとえばメンソール系のタバコを一般種のタバコと一緒に、同一の箱に詰め合わせたりすると、メンソールの強香が一般種のタバコに移ってしまい、著しく葉の香りの特徴に影響してしまう。タバコを生産する企業が、宣伝用に３〜５本入りの試供品用のタバコの箱を提供することはあっても、宣伝用のタバコを他のタバコの箱に詰め合わせできないのは上述したような理由による。以上のことから、複数種のタバコを１つの箱に詰め合わせることが、喫煙者のタバコの香りによる気分転換をはかる等、有益な可能性は認められつつも、実用化するには至らなかった。
【手続補正３】
【補正対象書類名】明細書
【補正対象項目名】０００３
【補正方法】変更
【補正の内容】
【０００３】
【考案が解決しようとする課題】
複数種のタバコを１つの箱に入れるのだから、その特徴を外観のパッケージ上で明確に表現しなければならない。現況のタバコのパッケージの主流は縦長直方体の紙巻き２０本入りである。ポリプロフィレン及びコートボール紙で作られたいわゆるボックスタイプと、ポリプロフィレン及び包装紙で作られたいわゆるソフトタイプ双方で、複数種のタバコが入っていることを明示するべくデザインを施す必要が生じる。なおソフトタイプのパッケージは、厳密にいえばタバコの包装資材とするのが妥当と思われるが、当考案では同形体であるとの観点から、便宜上タバコの箱と呼ぶことにする。
【手続補正４】
【補正対象書類名】明細書
【補正対象項目名】００１０
【補正方法】変更
【補正の内容】
【補正の内容】
【００１０】
【考案の実施の形態】
発明の実施の形態を実施例に基づき図面を参照して説明する。
２０本入りのタバコの箱のパッケージに、ツートンで色分けしたような色分け１を施し、複数種入りのタバコの箱である旨を視覚的に理解できるようにする。また、パッケージ上で文言４によって、複数種のタバコが入っていることを明記しておくことも当然必要とされる。
【手続補正書】
【提出日】平成17年6月22日(2005.6.22)
【手続補正１】
【補正対象書類名】実用新案登録請求の範囲
【補正対象項目名】請求項２
【補正方法】変更
【補正の内容】
【請求項２】
請求項１に記載のタバコの箱でで用いる仕切り袋であって、複数種のタバコの品質を保持するため使用する仕切り袋。
【手続補正２】
【補正対象書類名】手続補正書
【補正対象項目名】手続補正５
【補正方法】削除
【補正の内容】